(57)【要約】      （修正有）【課題】対地絶縁に対する絶縁強化の向上を図る。【解決手段】モールド形静止誘導機器１０は、高圧側巻線２２及び低圧側巻線２３を有し巻線の表面が絶縁部材で覆われた機器中身２０と、機器中身２０を収容する容器３０と、容器３０の内面のうち少なくとも高圧側巻線２２の上端から下端までの外周面に対向する領域に設けられ、電気絶縁性を有する塗料によって形成された絶縁塗装部５０と、を備える。【選択図】図１
2020038927.tif 000002
【特許請求の範囲】
【請求項１】
高圧側巻線及び低圧側巻線を有し前記巻線の表面が絶縁部材で覆われた機器中身と、
前記機器中身を収容する容器と、
前記容器の内面のうち少なくとも前記高圧側巻線の上端から下端までの外周面に対向する領域に設けられ、電気絶縁性を有する塗料によって形成された絶縁塗装部と、
を備えるモールド形静止誘導機器。
【請求項２】
前記絶縁塗装部は、前記容器の内面うち前記機器中身の上面に対向する領域にも設けられている、
請求項１に記載のモールド形静止誘導機器。
【請求項３】
前記絶縁塗装部は、前記容器の内面のうち前記機器中身に対向する全領域に設けられている、
請求項１又は２に記載のモールド形静止誘導機器。
【発明の詳細な説明】
【技術分野】
【０００１】
本発明の実施形態は、モールド形静止誘導機器に関する。
【背景技術】
【０００２】
従来、巻線の表面を樹脂等の絶縁部材でモールドすることで絶縁性能を確保したモールド形静止誘導機器が知られている。このようなモールド形静止誘導機器は、モールドされた巻線を容器内に格納し、その容器内にドライエア等を充填することで、巻線と容器との絶縁を確保して高電圧に適用させている。しかしながら、このようなモールド形静止誘導機器は、一次側つまり高圧側の電圧が高いことから、対地絶縁に対してより高い絶縁性能が要求されている。
【先行技術文献】
【特許文献】
【０００３】
【特許文献１】特開２０１５−２２５８９４号公報
【発明の概要】
【発明が解決しようとする課題】
【０００４】
そこで、対地絶縁に対する絶縁強化の向上を図ることができるモールド形静止誘導機器を提供する。
【課題を解決するための手段】
【０００５】
実施形態のモールド形静止誘導機器は、高圧側巻線及び低圧側巻線を有し前記巻線の表面が絶縁部材で覆われた機器中身と、前記機器中身を収容する容器と、前記容器の内面のうち少なくとも前記高圧側巻線の上端から下端までの外周面に対向する領域に設けられ、電気絶縁性を有する塗料によって形成された絶縁塗装部と、を備える。
【図面の簡単な説明】
【０００６】
【図１】一実施形態によるモールド形静止誘導機器の概略構成を示す断面図
【図２】一実施形態によるモールド形静止誘導機器について、機器中身の概略構成を示す平面図
【図３】一実施形態によるモールド形静止誘導機器について、容器及び絶縁塗装部の断面形状を概念的に示す図
【発明を実施するための形態】
【０００７】
以下、一実施形態について、図面を参照しながら説明する。
図１及び図２に示すモールド変圧器１０は、モールド形静止誘導機器の適用例の一例であり、例えば電力系統や受変電設備に用いられるものである。本実施形態の場合、モールド変圧器１０は、Ｕ相、Ｖ相、Ｗ相の巻線を有する三相の変圧器である。なお、モールド変圧器１０は、三相変圧器に限られない。
【０００８】
モールド変圧器１０は、機器中身２０、容器３０、及び熱交換器４０を備えている。機器中身２０は、モールド変圧器１０の各相に対応して設けられている。例えば本実施形態において、モールド変圧器１０は、Ｕ相、Ｖ相、及びＷ相を有する三相変圧器であるため、Ｕ相、Ｖ相、及びＷ相のそれぞれに対応した３つの機器中身２０を備えている。
【０００９】
機器中身２０は、図２にも示すように、鉄心２１、高圧側巻線２２、低圧側巻線２３、及びスペーサ２４を有している。高圧側巻線２２は、モールド変圧器１０を例えば電力系統に適用した際に高圧電力が入力される１次側の巻線として機能する。また、低圧側巻線２３は、モールド変圧器１０を例えば電力系統に適用した際に低圧電力を出力する２次側の巻線として機能する。
【００１０】
高圧側巻線２２及び低圧側巻線２３は、表面全体が樹脂等の絶縁部材によって覆われている。つまり、高圧側巻線２２及び低圧側巻線２３の表面は、電気絶縁性を有する樹脂等の絶縁部材によってモールドされている。高圧側巻線２２及び低圧側巻線２３は、中心部に鉄心２１が通されてコイルを構成している。この場合、高圧側巻線２２は、低圧側巻線２３の外周側に設けられている。鉄心２１の下部は、容器３０の底部に支持固定されている。
【００１１】
スペーサ２４は、図２に示すように、高圧側巻線２２と低圧側巻線２３との間に設けられている。つまり、スペーサ２４は、高圧側巻線２２の内周側でかつ低圧側巻線２３の外周側に設けられている。スペーサ２４は、高圧側巻線２２及び低圧側巻線２３の全周に亘って波型に形成されている。このスペーサ２４により、高圧側巻線２２と低圧側巻線２３との間に空隙２５が形成されて、冷却用の気体を流す空間を確保するとともに、高圧側巻線２２と低圧側巻線２３との間における必要な絶縁強度を確保している。なお、スペーサ２４は、高圧側巻線２２と低圧側巻線２３と間の絶縁強度及び冷却用の空間を確保できる形状であれば波型に限られない。
【００１２】
図１に示す容器３０は、モールド変圧器１０の外郭を構成するものであり、例えば鋼板等の金属製の筐体を主体として構成されている。容器３０は、気密性を有した箱状に構成されている。機器中身２０は、容器３０の内部に収納されている。詳細は図示しないが、本実施形態の場合、三相各相に対応した３つの機器中身２０は、容器３０内において等間隔で一列の直線状に配置されている。このため、容器３０は、全体として一方向に長い形状、例えば平面視において長方形となる箱状に形成されている。
【００１３】
この場合、隣接する機器中身２０同士、及び機器中身２０と容器３０の内壁面とは、それぞれ離間している。これにより、隣接する機器中身２０の間、及び機器中身２０と容器３０の内壁面との間には、それぞれ隙間が確保されている。この隙間によって、冷却用の気体を流す空間を確保するとともに、各機器中身２０間、及び機器中身２０と容器３０の内壁との間における必要な絶縁強度を確保している。
【００１４】
容器３０は、接地線１１及び接地極１２を介して、例えばＡ種接地により接地されている。この場合、接地線１１は、抵抗値が１０Ω以下で、引張強さが１．０４ｋＮ以上の金属線または直径２．６ｍｍ以上の軟銅線で構成されている。また、接地極１２は、銅板、銅棒、又は亜鉛メッキした鉄棒などで構成されており、地中に埋没されている。
【００１５】
容器３０内は、気密性が維持された密閉空間となっている。この場合、容器３０内には大気圧よりも高い圧力のドライエア等の気体が充填される。空気の絶縁耐力はその絶対圧力にほぼ比例する。このため、容器３０内に大気圧よりも高い圧力のドライエアを充填することで、モールド変圧器１０は、機器中身２０を大気圧中に設置した場合に比べてより高い絶縁耐圧を得ることができる。なお、容器３０内には、高圧のドライエアに限られず、例えばＳＦ６などの不活性ガスを充填しても良い。
【００１６】
また、容器３０は、上部接続ダクト３１及び下部接続ダクト３２を有している。上部接続ダクト３１及び下部接続ダクト３２は、容器３０内と熱交換器４０とを接続している。すなわち、容器３０内と熱交換器４０とは、接続ダクト３１、３２を通して相互に連通している。この場合、上部接続ダクト３１は、容器３０の上部、具体的には巻線２２、２３の上端よりも上側に設けられている。また、下部接続ダクト３２は、上部接続ダクト３１の下方でかつ容器３０の下部、具体的には巻線２２、２３の下端よりも下側に設けられている。
【００１７】
熱交換器４０は、上部接続ダクト３１及び下部接続ダクト３２を介して容器３０内に連通している。熱交換器４０は、機器中身２０の動作によって発生した熱を大気中に放熱する機能を有する。容器３０内の気体は、機器中身２０で発生した熱によって熱せられると、図１の白抜き矢印で示したように、機器中身２０の周囲の隙間及び機器中身２０の内部に形成された空隙２５を通って容器３０内を上昇する。
【００１８】
そして、容器３０内を上昇した気体は、上部接続ダクト３１を通って熱交換器４０内に流入し、気体の熱が熱交換器４０の作用によって大気中に放熱される。その後、放熱して温度が下がった気体は、下部接続ダクト３２から容器３０内に流入し、機器中身２０の周囲の隙間及び空隙２５を通って再び上昇する。このようにして容器３０内を自然循環する気体の流れが発生し、その気体の流れによって各機器中身２０が自然冷却される。なお、例えば接続ダクト３１、３２内等に送風機を設けて、容器３０内の気体を強制循環させる構成としても良い。これによれば、モールド変圧器１０内の冷却効率を更に向上させることができる。
【００１９】
また、モールド変圧器１０は、絶縁塗装部５０を備えている。絶縁塗装部５０は、容器３０の内面のうち少なくとも機器中身２０の上端から下端までの外周面に対向する領域、この場合、少なくとも高圧側巻線２２の外周面に対向する側面領域３０１に設けられている。本実施形態の場合、絶縁塗装部５０は、容器３０の内面のうち、機器中身２０の上面に対向する上面領域３０２、及び機器中身２０の下面に対向する底面領域３０３にも設けられている。つまり、本実施形態の場合、絶縁塗装部５０は、容器３０の内面のうち機器中身２０に対向した全領域に設けられている。なお、本実施形態の場合、絶縁塗装部５０は、接続ダクト３１、３２の内面には設けられていないが、絶縁塗装部５０は、接続ダクト３１、３２の内面に設けられていても良い。
【００２０】
絶縁塗装部５０は、電気絶縁性を有する塗料を、対象となる領域３０１、３０２、３０３に吹き付けて塗布することで形成されている。本実施形態において、電気絶縁性を有する塗料とは、容器３０の内面に絶縁塗装部５０が設けられていない場合に比べて、容器３０の内面に絶縁塗装部５０を設けた場合の方が、絶縁耐圧が高くなる塗料を意味する。この場合、絶縁塗装部５０を構成する塗料は、金属粉等の導電性を有する材料が含まれていないことが好ましい。絶縁塗装部５０を構成する塗料は、例えば天然樹脂・油脂系塗料、フェノール樹脂塗料、ポリアミド樹脂塗料、エポキシ樹脂塗料、ポリウレタン樹脂塗料、ポリエステル樹脂塗料、シリコーン樹脂塗料などがある。
【００２１】
この場合、容器３０の内側表面は、一般に研磨等の表面加工が施されていないため、例えば図３に示すように無数の凹凸を有している。そのため、容器３０の内側表面に絶縁塗装部５０が設けられていない場合、容器３０の内側表面の凹凸が露出し、その凹凸に電界が集中して放電して絶縁破壊が生じる可能性が高まる。一方、本実施形態によれば、絶縁塗装部５０は、容器３０の内側表面の凹凸を埋めて、容器３０の内側表面を滑らかにすることができる。これにより、容器３０の内側表面の凹凸に対する電界の集中を抑制することができる。なお、この場合、絶縁塗装部５０の表面の粗さは、例えば十点平均粗さでＲｚＪｉｓ６．３以下である。
【００２２】
以上説明した実施形態によれば、モールド変圧器１０は、機器中身２０と、容器３０と、絶縁塗装部５０と、を備える。機器中身２０は、高圧側巻線２２及び低圧側巻線２３を有し、巻線２２、２３の表面が絶縁部材で覆われている。容器３０は、機器中身２０を収容している。絶縁塗装部５０は、容器３０の内面のうち少なくとも高圧側巻線２２の上端から下端までの外周面に対向する側面領域３０１に設けられており、電気絶縁性を有する塗料によって形成されている。
【００２３】
これによれば、機器中身２０と容器３０との間の絶縁のうち特に高電圧となる高圧側巻線２２の上端から下端までの外周面部分に対する絶縁は、容器３０内に充填されたドライエア等の気体に加え、側面領域３０１に設けられた絶縁塗装部５０の絶縁性能によっても確保される。更に、絶縁塗装部５０は、図３に示すように、容器３０の内側表面に形成されている多数の凹凸を埋めることで、容器３０の内側表面を滑らかにすることができる。これにより、容器３０の内側表面の凹凸に対する電界の集中を抑制することで、絶縁破壊を防いで機器中身２０と容器３０との間の絶縁耐圧をより高いものとすることができる。したがって、本実施形態によれば、モールド変圧器１０は、対地絶縁に対する絶縁強化の向上を図ることができる。
【００２４】
また、絶縁塗装部５０は、容器３０の内面うち機器中身２０の上面に対向する上面領域３０２にも設けられている。これによれば、機器中身２０の上面に対する絶縁耐圧の向上も図ることができる。したがって、モールド変圧器１０は、対地絶縁に対して更なる絶縁強化の向上を図ることができる。
【００２５】
そして、絶縁塗装部５０は、容器３０の内面のうち機器中身２０に対向する全領域つまり側面領域３０１、上面領域３０２、及び底面領域３０３の全ての領域に設けられている。これによれば、モールド変圧器１０は、機器中身２０の外周部分全体に対する絶縁耐圧の向上を図ることができるため、更に高い絶縁耐圧を得ることができる。
【００２６】
以上、本発明の一実施形態を説明したが、この実施形態は例として提示したものであり、発明の範囲を限定することは意図していない。この実施形態は他の様々な形態で実施されることが可能であり、発明の要旨を逸脱しない範囲で、種々の省略、置き換え、変更を行うことができる。この実施形態やその変形は、発明の範囲や要旨に含まれる内容と同様に、特許請求の範囲に記載された発明とその均等の範囲に含まれるものである。
【符号の説明】
【００２７】
図面中、１０はモールド変圧器（モールド形静止誘導機器）、２０は機器中身、２２は高圧側巻線、２３は低圧側巻線、３０は容器、５０は絶縁塗装部、を示す。
【図１】
2020038927.tif 000003
【図２】
2020038927.tif 000004
【図３】
2020038927.tif 000005